(57)【要約】【課題】本明細書はカードトレイ、カード接続装置及び移動端末を開示する。前記カード接続装置は、カードトレイと、前記カードトレイを収容するベースとを含み、前記カードトレイは、ポップアップ機構と、摺動チャンバーが設置されるカード収納機構とを含み、前記ポップアップ機構は、前記摺動チャンバー内に摺動して設置される引きロッドを含み、前記ポップアップ機構が前記カード収納機構をベースへ押し込むまたはベースから引き出すことができ、前記カード収納機構がベースで作動位置に係止される際に単独でポップアップできるカードロッド分離式構造を形成する。本発明の実施例はポップアップ機構とカード収納機構のカードロッド分離式構造により、関連するセルフロッキング構造ではカード排出を誤ってトリガーするという欠点を克服するだけでなく、関連するピン差し込み構造の操作の不便、ユーザー体験への悪影響を克服し、構造が簡単で、低コストで、操作しやすく、カードをしっかりロッキングできる等の利点がある。【選択図】図１
2018521577.tif 000002
【特許請求の範囲】
【請求項１】
ポップアップ機構と、摺動チャンバーが設置されるカード収納機構とを含み、前記ポップアップ機構は、前記摺動チャンバー内に摺動して設置される引きロッドを含み、前記ポップアップ機構が前記カード収納機構を一緒に移動させるように駆動でき、且つ前記カード収納機構が動かない場合に単独移動できるカードロッド分離式構造として設置される、カードトレイ。
【請求項２】
前記カード収納機構には、前記引きロッドが単独移動する場合に、前記カード収納機構を作動位置に係止するように設置される制限溝が更に設置される、請求項１に記載のカードトレイ。
【請求項３】
前記カード収納機構は、ユーザーカードを収容する収納孔が開設されるカード収納パネルと、前記カード収納パネルの下方に設置され、前記収納孔におけるユーザーカードを支持するように設置され、且つ前記カード収納パネルと前記摺動チャンバーを形成するように設置される支持板とを含む、請求項１又は２に記載のカードトレイ。
【請求項４】
前記支持板は前記カード収納パネルと位置決め溝を形成するように更に設置され、前記ポップアップ機構は、前記引きロッドに固接されるように設置され、前記位置決め溝内に摺動して設置され、前記引きロッドの摺動方向と摺動ストロークを制限することで、前記ポップアップ機構が前記カード収納機構を一緒に移動させるように駆動できるように設置される位置決めブロックを更に含む、請求項３に記載のカードトレイ。
【請求項５】
カードトレイと、前記カードトレイを収容するように設置されるベースとを含み、前記カードトレイは、ポップアップ機構と、摺動チャンバーが設置されるカード収納機構と含み、前記ポップアップ機構は、前記摺動チャンバー内に摺動して設置される引きロッドを含み、前記ポップアップ機構が前記カード収納機構をベースへ押し込みまたはベースから引き出すことができ、前記カード収納機構がベースによって作動位置に係止される際に単独でポップアップできるカードロッド分離式構造として設置される、カード接続装置。
【請求項６】
前記ベースは、係止機構と、セルフロッキング機構とを含み、前記カード収納機構には、制限溝が更に設置され、前記セルフロッキング機構は前記引きロッドをロッキング又はポップアップするように設置され、前記係止機構は、前記制限溝と嵌合され、前記引きロッドが前記セルフロッキング機構によりポップアップされる際に、前記カード収納機構を作動位置に係止するように設置される、請求項５に記載のカード接続装置。
【請求項７】
前記カード収納機構は、ユーザーカードを収容する収納孔が開設されるカード収納パネルと、前記カード収納パネルの下方に設置され、前記収納孔におけるユーザーカードを支持するように設置され、且つ前記カード収納パネルと前記摺動チャンバーを形成するように設置される支持板とを含む、請求項５又は６に記載のカード接続装置。
【請求項８】
前記支持板は前記カード収納パネルと位置決め溝を形成するように更に設置され、前記ポップアップ機構は、前記引きロッドに固接されるように設置され、前記位置決め溝内に摺動して設置され、前記引きロッドの摺動方向と摺動ストロークを制限することで、前記ポップアップ機構が前記カード収納機構をベースへ押し込み又はベースから引き出すことができるように設置される位置決めブロックを更に含む、請求項７に記載のカード接続装置。
【請求項９】
前記ベースは、本体支持面と、前記本体支持面の両側と遠端に設置され、且つ前記カードトレイを収容する空間を形成するカードトレイ支持リブとを更に含む、請求項５又は６に記載のカード接続装置。
【請求項１０】
ハウジングと、前記ハウジングの側面に設置され、請求項５〜９のいずれかに記載のカード接続装置を用いるカード接続装置とを含む、移動端末。
【発明の詳細な説明】
【技術分野】
【０００１】
本発明の実施例は無線通信分野に関するがそれに制限されず、特にカードトレイ、カード接続装置及び該カード接続装置付きの移動端末に関する。
【背景技術】
【０００２】
現在、関連するインテリジェント移動端末は、移動端末の軽薄化、一体化の発展傾向と市場ニーズに応じ、一般的には側面カードトレイ式カード接続装置を用いる。関連する側面カードトレイ式カード接続装置は、一般的に、ユーザーカード（たとえばＳＩＭカード）を収納し、且つベースに摺動するカードトレイと、カードトレイを収容し、カードトレイをロッキング又はポップアップするベースとからなる。
【０００３】
カードトレイをロッキング又はポップアップする構造から分けると、現在一般的に使用されているカード接続装置はピン差し込み構造とセルフロッキング構造に分けることができる。ピン差し込み構造は、ユーザーカードを装着する場合、カードトレイを移動端末のベースへ押し込み、ベースにおけるロッキングユニットがカードトレイをベース内に係止し、ユーザーカードを取り出す場合、専用ツール（たとえばピン）を移動端末ハウジングに設置されるアンロッキング孔（たとえばピン差し込み穴）から挿入し、専用ツールによってロッキングユニットがカードトレイの係止状態を解除するように推進することで、カードトレイをベースから引き出す構造ロッキング方式である。セルフロッキング構造は、カードトレイをベースへ押し込んだ後に、１回押すとカードトレイをロッキングし、もう１回押すとカードトレイをポップアップするため、Ｐｕｓｈ（ロッキング）−Ｐｕｓｈ（ポップアップ）方式とも呼ばれる。
【０００４】
実際の使用では、ピン差し込み構造はカード固定が信頼できる等の利点を有するが、ユーザーが専用ツールを常に携帯する必要があり、そうでない場合、ユーザーカードを取り出すことができず、操作が不便で、且つユーザー体験へ悪影響を与える。一方、セルフロッキング構造は操作しやすい等の利点があるが、カード排出を誤ってトリガーするという欠点があることがわかった。たとえば、移動端末が不注意で落下すると、外力の衝撃によってカードトレイがユーザーカードをベースからポップアップするように駆動する恐れがある。また、ユーザーが移動端末を使用している際に、カードトレイを誤って押して、カードトレイがユーザーカードをベースからポップアップするように駆動する恐れがある。セルフロッキング構造のカード排出を誤ってトリガーするという欠点は、通信中断を引き起こし、データと情報にエラーが発生してしまい、移動端末の正常使用へ深刻な影響を与える。
【発明の概要】
【発明が解決しようとする課題】
【０００５】
以下は、本明細書で詳細に説明されている主題の概要である。本概要は請求項の保護範囲を制限するものではない。
【課題を解決するための手段】
【０００６】
本発明の実施例は、ポップアップ機構と、摺動チャンバーが設置されるカード収納機構とを含み、前記ポップアップ機構は、前記摺動チャンバー内に摺動して設置される引きロッドを含み、前記ポップアップ機構が前記カード収納機構を一緒に移動させるように駆動でき、且つ前記カード収納機構が動かない場合に単独移動できるカードロッド分離式構造として設置されるカードトレイを提供する。
【０００７】
好ましくは、前記カード収納機構には、前記引きロッドが単独移動する場合に、前記カード収納機構を作動位置に係止するように更に設置される制限溝が設置される。
【０００８】
好ましくは、前記カード収納機構は、ユーザーカードを収容する収納孔が開設されるカード収納パネルと、前記カード収納パネルの下方に設置され、前記収納孔におけるユーザーカードを支持するように設置され、且つ前記カード収納パネルと前記摺動チャンバーを形成するように設置される支持板とを含む。
【０００９】
好ましくは、前記支持板は前記カード収納パネルと位置決め溝を形成するように更に設置され、前記ポップアップ機構は、前記引きロッドに固接されるように設置され、前記位置決め溝内に摺動して設置され、前記引きロッドの摺動方向と摺動ストロークを制限することで、前記ポップアップ機構が前記カード収納機構を一緒に移動させるよう駆動できるように設置される位置決めブロックを更に含む。
【００１０】
本発明の実施例は、カードトレイと、前記カードトレイを収容するように設置されるベースとを含み、前記カードトレイは、ポップアップ機構と、摺動チャンバーが設置されるカード収納機構とを含み、前記ポップアップ機構が前記摺動チャンバー内に摺動して設置される引きロッドを含み、前記ポップアップ機構が前記カード収納機構をベースへ押し込むまたはベースから引き出すことができ、前記カード収納機構がベースによって作動位置に係止される際に単独でポップアップできるカードロッド分離式構造として設置される、カード接続装置を更に提供する。
【００１１】
好ましくは、前記ベースは、係止機構と、セルフロッキング機構とを含み、前記カード収納機構に制限溝が更に設置され、前記セルフロッキング機構は前記引きロッドをロッキング又はポップアップするように設置され、前記係止機構は、前記制限溝と嵌合され、前記引きロッドが前記セルフロッキング機構によりポップアップされる際に、前記カード収納機構を作動位置に係止するように設置される。
【００１２】
好ましくは、前記カード収納機構は、ユーザーカードを収容する収納孔が開設されるカード収納パネルと、前記カード収納パネルの下方に設置され、前記収納孔におけるユーザーカードを支持するように設置され、且つ前記カード収納パネルと前記摺動チャンバーを形成するように設置される支持板とを含む。
【００１３】
好ましくは、前記支持板は前記カード収納パネルと位置決め溝を形成するように更に設置され、前記ポップアップ機構は、前記引きロッドに固接されるように設置され、前記位置決め溝内に摺動して設置され、前記引きロッドの摺動方向と摺動ストロークを制限することで、前記ポップアップ機構が前記カード収納機構をベースへ押し込む又はベースから引き出すことができるように設置される位置決めブロックを更に含む。
【００１４】
好ましくは、前記ベースは、本体支持面と、前記本体支持面の両側と遠端に設置され、且つ前記カードトレイを収容する空間を形成するカードトレイ支持リブとを更に含む。
【００１５】
本発明の実施例は、ハウジングと、前記ハウジングの側面に設置され、上記カード接続装置を用いるカード接続装置とを含む移動端末を更に提供する。
【発明の効果】
【００１６】
本発明の実施例はカードトレイ、カード接続装置及び移動端末を提供し、ポップアップ機構とカード収納機構のカードロッド分離式構造により、関連するセルフロッキング構造ではカード排出を誤ってトリガーするという欠点を克服するだけでなく、関連するピン差し込み構造の操作の不便、ユーザー体験への悪影響を克服し、構造が簡単で、低コストで、操作しやすく、カードをしっかりロッキングできる等の利点がある。
【００１７】
図面と詳細な説明を閲覧して理解した上で、ほかの形態も理解できる。
【図面の簡単な説明】
【００１８】
【図１】図１は本発明の実施例のカードトレイの引きロッドポップアップ状態での構造模式図である。
【図２】図２は本発明の実施例のカードトレイの引きロッド収納状態での構造模式図である。
【図３】図３は本発明の実施例のカード接続装置の引きロッドポップアップ状態での構造模式図である。
【図４】図４は本発明の実施例のカード接続装置の引きロッド収納状態での構造模式図である。
【図５】図５は本発明の実施例のベースにおけるセルフロッキング機構の構造模式図である。
【図６】図６ａ、図６ｂ、図６ｃは本発明の実施例におけるポップアップ機構の作動模式図である。
【発明を実施するための形態】
【００１９】
当業者が理解しやすいように、以下、図面を参照しながら、本発明の実施例を更に説明するが、本発明の保護範囲を制限するものではない。なお、矛盾しない限り、本願における実施例及び実施例の各種の方式を互いに組み合せることができる。
【００２０】
本発明の実施例では、図１と図２に示すように、カードトレイの本体構造は、ポップアップ機構と、カード収納機構とを含み、カード収納機構は、ユーザーカード（例えばＳＩＭカード）を収納するように設置され、ポップアップ機構は、カード収納機構を押し込むまたは引き出すように設置され、カード収納機構には摺動チャンバー２６が設置され、ポップアップ機構は、摺動チャンバー２６内に摺動して設置される引きロッド１２を含み、ポップアップ機構がカード収納機構を一緒に移動させるように駆動でき、カード収納機構が動かない場合に単独で移動できるカード（ユーザーカード）ロッド（引きロッド）分離式構造を形成する。
【００２１】
好ましくは、本実施例のカードトレイのポップアップ機構は、エンドキャップ１１と、位置決めブロック１３とを更に含み、カード収納機構は、カード収納パネル２１、支持板２２及び側板２３を含む。カード収納機構におけるカード収納パネル２１は、形状がユーザーカードの形状と一致し、ユーザーカードを収容するように設置される収納孔２４が開設された矩形フレーム構造である。支持板２２は、長細いフレーム構造であり、２つの支持板２２はそれぞれカード収納パネル２１の両側フレームの下方に設置され、カード収納パネル２１と嵌合されてそれぞれ位置決め溝２５と摺動チャンバー２６を形成する。具体的には、支持板２２の内側のフレームは収納孔２４の範囲内に位置し、一方では収納孔２４内に配置されるユーザーカードを支持するように設置され、また一方ではカード収納パネル２１のサイドフレームと長尺状の位置決め溝２５を形成し、位置決め溝２５はポップアップ機構の位置決めブロック１３を収容するように設置され、位置決めブロック１３が位置決め溝２５内を摺動させ、且つ位置決めブロック１３の摺動方向と摺動ストロークを制限し、更に引きロッド１２の摺動方向と摺動ストロークを制限する。支持板２２の外側のフレームは側板２３とカード収納パネル２１のサイドフレームと嵌合されて半密閉の摺動チャンバー２６を形成し、摺動チャンバー２６はポップアップ機構の引きロッド１２を収容するように設置され、引きロッド１２が摺動チャンバー２６内を摺動する。カード収納機構の両側には、それぞれ、カード収納機構の移動を制限するように設置される制限溝２７が更に開設され、引きロッド１２（ポップアップ機構）が単独移動する場合に、ユーザーカードを収納したカード収納機構が作動位置に係止される。
【００２２】
好ましくは、本実施例のポップアップ機構における２つの引きロッド１２は、それぞれカード収納機構の２つの摺動チャンバー２６内に摺動して設置され、近端がエンドキャップ１１に固接され、エンドキャップ１１により駆動されて摺動チャンバー２６内を摺動し、各引きロッド１２には、カード収納機構の位置決め溝２５に摺動して設置され、引きロッド１２の摺動方向と摺動ストロークを制限するように設置される位置決めブロック１３が更に固接される。
【００２３】
本実施例のカードトレイの上記構造では、引きロッド１２が摺動チャンバー２６内に摺動して設置されるため、カード収納機構が作動位置に位置する場合、エンドキャップ１１、引きロッド１２及び位置決めブロック１３を含むポップアップ機構が単独移動でき、カード収納機構は動かずにポップアップ機構が単独移動するカード（ユーザーカード）ロッド（引きロッド）分離式構造を形成する。それと同時に、位置決めブロック１３は引きロッド１２の摺動方向と摺動ストロークを制限できるため、引きロッド１２が所定の摺動ストロークまで摺動した場合、エンドキャップ１１、引きロッド１２及び位置決めブロック１３を含むポップアップ機構は、制限溝のカード収納機構に対する制限を克服し、カード収納機構を一緒に移動させるように駆動し、カード収納機構を押し込む又は引出すことができる。
【００２４】
本実施例のカードトレイはポップアップ機構とカード収納機構をカードロッド分離式構造に設計することで、ポップアップ機構がカード収納機構を一緒に移動させるように駆動することを実現できるだけでなく、カード収納機構は動かずにポップアップ機構が単独移動することも実現でき、関連技術での誤ってトリガーしやすいという欠点を効果的に克服する。
【００２５】
本発明の実施例の別の具体例では、図３と図４に示すように、カード接続装置の本体構造は、カードトレイ１と、カードトレイ１を収容するように設置されるベース３とを含み、カードトレイ１がユーザーカード（例えばＳＩＭカード）を収納するように設置され、カードトレイ１が上記実施例に開示されているカードトレイ構造を用い、ポップアップ機構がカード収納機構をベースへ押し込む又はベースから引き出すことができ、カード収納機構がベースで作動位置に係止される際に単独でポップアップできるカードロッド分離式構造を形成する。
【００２６】
好ましくは、本実施例では、ベース３は、本体支持面３１、カードトレイ支持リブ３２、セルフロッキング機構及び係止機構を含む。本体支持面３１は、矩形板構造であり、両側と遠端にそれぞれカードトレイ支持リブ３２が設置され、３つのカードトレイ支持リブ３２により構成された半密閉領域がカードトレイ１を収容する空間に設置される。本実施例のセルフロッキング機構と係止機構は関連するＰｕｓｈ−Ｐｕｓｈカード接続装置のセルフロッキングと係止構造形式を用いることができ、図５に示すように、セルフロッキング機構は、揺動棒３３と、押さえシート３４とを含み、揺動棒３３は引きロッド１２により駆動されて引きロッド１２の摺動方向に沿って前後運動でき、押さえシート３４は揺動棒３３により駆動されて本体支持面３１に垂直な方向に上下運動でき、揺動棒３３と押さえシート３４との間の摩擦位置決めによって引きロッド１２をロッキングし、すなわちカードトレイ１のポップアップ機構をロッキングする。係止機構は、それぞれ引きロッド１２に平行した２つのカードトレイ支持リブ３２に開設される係止溝３５と、係止溝３５内に設置され、カード収納機構の移動を制限するようにカードトレイ１の制限溝２７と嵌合するように設置されるサークリップ３６とを含む。実際の使用では、本実施例のベースにベースカバーが更に設置されてもよい。
【００２７】
ポップアップ機構のポップアップ状態では、エンドキャップ１１を押し、引きロッド１２は外力により駆動されて左側（セルフロッキング機構方向）へ移動し、且つ揺動棒３３を一緒に移動させるように推進し、揺動棒３３が押さえシート３４と接触すると、揺動棒３３は押さえシート３４を下へ移動させるように駆動し、揺動棒３３は押さえシート３４が所定の位置（例えば揺動棒３３が押さえシート３４の半分幅まで移動するか、又は押さえシート３４が半分の高さ押圧される）に到達するまで駆動すると、揺動棒３３と押さえシート３４との間の静止摩擦力によって両方の相対位置を固定し、ロッキング状態にする。図６ａ、図６ｂ、図６ｃに示すように、ポップアップ機構のロッキング状態では、エンドキャップ１１を押し、引きロッド１２は外力により駆動されて左側へ移動して揺動棒３３をトリガーし、揺動棒３３の復帰力によって揺動棒３３が揺動棒３３と押さえシート３４との間の動摩擦力を克服して、右側（エンドキャップ１１方向）へ移動し、且つ引きロッド１２を右側へ押し出すように押し、ポップアップ機構をリリースしてポップアップ状態にする。
【００２８】
図３に示すように、ユーザーがユーザーカードを取り出す必要がある場合、エンドキャップ１１を押し、エンドキャップ１１は引きロッド１２をベース３のセルフロッキング機構方向へ移動させるように駆動して、セルフロッキング機構をアンロッキングするようにトリガーし、引きロッド１２をエンドキャップ１１方向へ押し出し、引きロッドポップアップ状態となり、すなわちポップアップ機構がリリースしてポップアップされる状態になる。この際、カードトレイ１のカード収納機構はベース３のサークリップ３６により係止されるため、ユーザーカードを収納したカード収納機構が移動せず、元の作動位置に残っている。ユーザーがエンドキャップ１１を更に引き、位置決めブロック１３が位置決め溝２５の近端部まで摺動した後、位置決めブロック１３はカード収納機構を一緒に移動させるように駆動し、ユーザーの張力によってカード収納機構がサークリップ３６の制限から解放し、ユーザーカードを収納したカード収納機構を引き出す。
【００２９】
ユーザーがユーザーカードを装着する必要がある場合、ユーザーカードをカード収納機構の収納孔２４内に配置し、エンドキャップ１１を推進し、エンドキャップ１１は引きロッド１２をベース３のセルフロッキング機構方向へ移動させるように駆動し、位置決めブロック１３が位置決め溝２５の遠端部まで摺動した後、位置決めブロック１３はカード収納機構を一緒に移動させるように駆動し、カード収納機構をベース３へ押し込み、且つサークリップ３６によってカード収納機構を係止する。図４に示すように、続いてエンドキャップ１１を押し、引きロッド１２はセルフロッキング機構がロッキングするようにトリガーし、ユーザーカードの装着を完了させる。
【００３０】
実際の使用では、移動端末が不注意で落下すると、エンドキャップ１１に印加した衝撃力はエンドキャップ１１が引きロッド１２を移動させるように推進し、ポップアップ機構をリリースしてポップアップする恐れがある。しかし、ユーザーカードを収納したカード収納機構はベース３のサークリップ３６により係止されて作動位置に残るため、誤ってトリガーしてカードを排出することを避け、通信中断を引き起こすことがなく、移動端末の正常使用へ影響を与えることもなく、ユーザーが移動端末を拾ってポップアップ機構を復活すればよい。
【００３１】
実際の使用では、ユーザーが移動端末を使用する際にエンドキャップ１１を誤って押圧した場合、ポップアップ機構のみをリリースしてポップアップし、ユーザーカードを収納したカード収納機構は作動位置に残るため、誤ってトリガーしてカードを排出することを避け、通信中断を引き起こすことがなく、移動端末の正常使用へ影響を与えることもない。
【００３２】
本発明の実施例に係るカード接続装置は、カードロッド分離式構造のカードトレイを用いるため、移動端末が不注意で落下した場合又はユーザーの誤って押圧した場合、ポップアップ機構のみをリリースしてポップアップし、ユーザーカードを収納したカード収納機構は作動位置に残るため、関連するセルフロッキング構造では誤ってトリガーしやすいという欠点を効果的に克服し、通信中断を引き起こすことがなく、移動端末の正常使用へ影響を与えることもない。それと同時に、セルフロッキング機構と係止機構は関連するＰｕｓｈ−Ｐｕｓｈカード接続装置の構造形式を用いるため、操作しやすい等の利点があり、関連するピン差し込み構造の操作の不便、ユーザー体験への悪影響等の欠陥を効果的に克服する。
【００３３】
本発明の実施例のさらに別の具体例では、移動端末は、ハウジングと、上記実施例で開示され、ハウジングの側面に設置されるカード接続装置とを含む。
【００３４】
以上、発明を実施するための形態を参照して本発明を更に詳細に説明したが、本発明の実施形態はこれらの説明に制限されるものではない。
【産業上の利用可能性】
【００３５】
本明細書はカードトレイ、カード接続装置及び移動端末を開示し、カード接続装置は、カードトレイと、前記カードトレイを収容するベースとを含み、前記カードトレイは、ポップアップ機構と、摺動チャンバーが設置されるカード収納機構とを含み、前記ポップアップ機構は、前記摺動チャンバー内に摺動して設置される引きロッドを含み、前記ポップアップ機構が前記カード収納機構をベースへ押し込むまたはベースから引き出すことができ、前記カード収納機構がベースで作動位置に係止される際に単独でポップアップできるカードロッド分離式構造を形成する。本発明の実施例はポップアップ機構とカード収納機構のカードロッド分離式構造により、関連するセルフロッキング構造でのカード排出を誤ってトリガーしやすいという欠点を克服するだけでなく、関連するピン差し込み構造での操作の不便、ユーザー体験への影響を克服し、構造が簡単で、低コストで、操作しやすく、カードをしっかりロッキングできる等の利点がある。
【図１】
2018521577.tif 000003
【図２】
2018521577.tif 000004
【図３】
2018521577.tif 000005
【図４】
2018521577.tif 000006
【図５】
2018521577.tif 000007
【図６ａ】
2018521577.tif 000008
【図６ｂ】
2018521577.tif 000009
【図６ｃ】
2018521577.tif 000010
【国際調査報告】
2018521577.tif 000011
2018521577.tif 000012
2018521577.tif 000013
2018521577.tif 000014